(57)【要約】【解決手段】折り畳み部分である折り戸Ａの内端面１ａ、１ａに沿って添装される添装部材６を備えている。この添装部材６の前端部に、前記折り畳み部分の表側に係合させ得る係合片７を備えている。前記折り戸Ａの裏面側において、左右の扉１、１に左右両端を互いに引っ張り合うように定着させ得るスライダー８を備えている。前記添装部材６の後端部には、前記折り畳み部分の裏面との間に形成される隙間に前記スライダー８の途中を挿通して係合させ得る係止ピン９を備えている。【効果】この指詰防止部材Ｅを折り戸Ａに取り付けると、折り戸Ａの折り畳み部分の表側においては、折り戸Ａの連結部を前記係合片７で覆い隠すことができ、その部分に隙間が生じないものとすることができる。従って、少なくともその部分においては目的とする指詰防止の効果が得られる。【選択図】図１
2011001799.tif 000002
【特許請求の範囲】
【請求項１】
折り戸の折り畳み部分に配置されるものであって、少なくとも、前記折り畳み部分である折り戸の内端面に沿って添装される添装部材を有し、この添装部材の前端部に前記折り畳み部分の表側に係合させ得る係合片を備え、前記折り戸の裏面側において左右の扉に左右両端を互いに引っ張り合うように定着させ得るスライダーを備え、前記添装部材の後端部には、前記折り畳み部分の裏面との間に形成される隙間に前記スライダーの途中を挿通して係合させ得る係止ピンを備えたことを特徴とする指詰防止部材。
【請求項２】
スライダーの左右両側にそれぞれ取り付け得るばねを有し、左右のばねの外端を左側の扉と右側の扉に定着させ得るようにしたことを特徴とする請求項１記載の指詰防止部材。
【請求項３】
係合片に嵌合させ得る指詰防止バーを備えたことを特徴とする請求項１記載の指詰防止部材。
【請求項４】
指詰防止バーの縦溝の上下両端部に嵌入させ得る脚片を有するキャップがさらに備えられていることを特徴とする請求項３記載の指詰防止部材。
【請求項５】
折り戸の折り畳み部分である内端面に沿って、請求項１記載の添装部材を添装し、この添装部材の前端部に備えられている係合片を前記折り畳み部分の表側に係合させるとともに、前記折り戸の裏面側において左右の扉にスライダーの左右両端を互いに引っ張り合うように定着させ、さらに、前記添装部材の後端部に備えられている係止ピンと前記折り畳み部分の裏面との間に前記スライダーの途中を挿通させたことを特徴とする指詰防止部材を備えた折り戸。
【請求項６】
スライダーの左右両側にばねをそれぞれ取り付け、左右のばねの外端を左側の扉と右側の扉に定着させたことを特徴とする請求項５記載の指詰防止部材を備えた折り戸。
【請求項７】
係合片に指詰防止バーを嵌合させ、この指詰防止バーの縦溝の上下両端部にキャップの脚片を嵌入したことを特徴とする請求項５記載の指詰防止部材を備えた折り戸。
【請求項８】
指詰防止バーの長さを折り戸の高さに合わせ、この指詰防止バーの縦溝の上下両端部にキャップの脚片を嵌入し、指詰防止バーの上下両端を前記キャップで覆ったことを特徴とする請求項７記載の指詰防止部材を備えた折り戸。
【発明の詳細な説明】
【技術分野】
【０００１】
本発明は、折り戸の折り畳み部分に配置されるものであって、折り戸の開閉の際の指詰を防止し得るようにした指詰防止部材ならびに当該指詰防止部材を備えた折り戸に関するものである。
【背景技術】
【０００２】
折り戸を開閉する際、折り畳み部分である２枚の扉の連結部に隙間が生じ、誤ってその隙間で指を詰めるという事態が起り得る。
【０００３】
このような指詰を防止するために、従来、折り戸の折り畳み部分である２枚の扉の連結部に生じる隙間を塞ぐことが提案されている（例えば、特許文献１〜４参照）。
【先行技術文献】
【特許文献】
【０００４】
【特許文献１】特開平９−２２８７３３号公報
【０００５】
【特許文献２】特開平１１−１５９２５４号公報
【０００６】
【特許文献３】特開２００２−３２２８８０号公報
【０００７】
【特許文献４】特願２００８−３０１５０２
【発明の概要】
【発明が解決しようとする課題】
【０００８】
特許文献１に記載された発明によれば、カバーを取り付けるための凹部を加工しなければならないだけでなく、カバーが経年変化により劣化し、破れたり、割れたりする可能性がある。
【０００９】
また、特許文献２に記載された発明によれば、指を詰めた際の痛みを軽減することはできるが、指詰防止という面では充分な効果が得られるものではない。
【００１０】
さらに、特許文献３に記載された発明によれば、折り戸の折り畳み部分である２枚の扉の端面に左右対称的なアーム部材を取り付け、両アーム部材の内端側に互いに噛み合う歯車部を形成し、互いに噛み合っている両歯車部の周囲を折り戸の表側から上下方向に長い支承材で覆い隠す方式であるから、指詰防止のための金具としては極めて複雑なものとなっているだけでなく、外観も余り芳しくない。
【００１１】
このように、従来の場合においては、指詰防止部材の構造が比較的簡単なものは、指詰防止という面で充分なものということができない。逆に、指詰防止という面で充分な効果が得られるものは、構造が極めて複雑になっている。
【００１２】
これらの欠点を解消するために、本出願人が先に開発して出願した先願発明がある（特許文献４）。
この先願発明は、比較的構造が簡単で、しかも、指詰防止という面で充分な効果が得られる指詰防止金具を提供するとともに、当該指詰防止金具を折り戸の折り畳み部分に配置することによって、指詰防止という面で充分な効果が得られる折り戸を提供することを目的とするものである。
【００１３】
そして、この先願発明によれば、折り戸の折り畳み部分の表側に指詰防止金具の指詰防止バーが位置しているので、目的とする指詰防止という面で充分な効果が得られる。一方、折り戸を開いた（折り畳んだ）場合において、折り戸の裏面に係合している両弾撥片の弾撥力により折り戸が閉じる方向に付勢されているので、折り戸を開いた（折り畳んだ）状態から軽く閉じることができるなどの利点を有している。
【００１４】
本発明は、上記先願発明に代わる新しい構造の指詰防止部材ならびに当該指詰防止部材を備えた折り戸を提供することを目的とするものである。
【課題を解決するための手段】
【００１５】
上記目的を達成するために、本発明においては、折り戸の折り畳み部分に配置されるものであって、少なくとも、前記折り畳み部分である折り戸の内端面に沿って添装される添装部材を有し、この添装部材の前端部に前記折り畳み部分の表側に係合させ得る係合片を備え、前記折り戸の裏面側において左右の扉に左右両端を互いに引っ張り合うように定着させ得るスライダーを備え、前記添装部材の後端部には、前記折り畳み部分の裏面との間に形成される隙間に前記スライダーの途中を挿通して係合させ得る係止ピンを備えたものである。
【００１６】
この指詰防止部材は折り戸の折り畳み部分に配置され、前記添装部材が前記折り畳み部分である２枚の扉の端面に沿って添装され、この添装部材の前端部に備えられている係合片が前記折り畳み部分の表側に係合せしめられる。そして、前記折り戸の裏面側において左右の扉に左右両端を互いに引っ張り合うようにスライダーを定着し、前記折り畳み部分の裏面との間の隙間に形成される隙間に前記スライダーの途中を挿通し、前記添装部材の後端部に備えられている係止ピンに係合させる。
【００１７】
かくして、折り戸を閉じたときでも、また、折り戸を開けた（折り畳んだ）ときでも、さらに、その途中の状態のときでも、折り戸の折り畳み部分の表側においては、折り戸の連結部を本発明による指詰防止部材の係合片で覆い隠すことができ、その部分に隙間が生じないものとすることができるので、少なくともその部分においては目的とする指詰防止の効果が得られる。前記係合片を上下に長いものとしておけば、当該係合片により折り戸の連結部を上から下までほぼ覆い隠すことができるので、指詰防止の効果が増大する。
【００１８】
特に、折り戸の折り畳み部分の裏側において、左右の扉に左右両端を互いに引っ張り合うように定着させ得るスライダーにより、２枚の扉を絶えず閉じる方向に付勢することができるので、折り戸を閉じたときでも、折り戸を開けた（折り畳んだ）ときでも、さらに、その途中の状態のときでも、折り戸の折り畳み部分の表側に隙間が生じないものとすることができる。従って、本発明による指詰防止部材を用いることにより、折り戸の折り畳み部分の表側において、目的とする指詰防止の効果が十分得られる。
【００１９】
また、折り戸が閉じられた状態では、左右の扉を絶えず閉める方向に力を掛けることができるので、左右の扉がぶらぶらすることもない。さらに、折り戸が閉じられた状態では、左右の扉に左右両端を互いに引っ張り合うように定着させ得るスライダーにより、２枚の扉を閉じる方向に付勢することができるので、折り戸を開いた（折り畳んだ）状態から軽く閉じることができる。
【００２０】
スライダーの左右両側にそれぞれ取り付け得るばねを有し、左右のばねの外端を左側の扉と右側の扉に定着させ得るようにすることが望ましい。この指詰防止部材を用いた場合には、折り戸が閉じられた状態では、前記左右のばねにより、２枚の扉が閉じる方向にさらに付勢されることになるので、折り戸を開いた（折り畳んだ）状態からさらに軽く閉じることができる。
【００２１】
係合片に嵌合させ得る指詰防止バーを備えたものとすることが好ましい。この指詰防止部材を用いた場合には、折り戸を閉じたときでも、また、折り戸を開けた（折り畳んだ）ときでも、さらに、その途中の状態のときでも、折り戸の折り畳み部分の表側においては、折り戸の連結部が指詰防止バーで覆い隠され、その部分に隙間が生じないので、少なくともその部分においては目的とする指詰防止の効果が得られる。前記指詰防止バーを上下に長いものとしておけば、当該指詰防止バーにより折り戸の連結部を上から下までほぼ覆い隠すことができるので、指詰防止の効果が増大する。
【００２２】
指詰防止バーの縦溝の上下両端部に嵌入させ得る脚片を有するキャップがさらに備えられていることが望ましい。この指詰防止部材を用いた場合には、指詰防止バーの縦溝の上下両端部にキャップの脚片を嵌入せしめることができ、このキャップは折り戸の上下両端面に沿い、指詰防止バーの上下両端部を覆うことができる。
【００２３】
また、指詰防止という面で充分な効果が得られる折り戸を提供するという目的を達成するために、本発明によれば、折り戸の折り畳み部分である内端面に沿って、前記添装部材を添装し、この添装部材の前端部に備えられている係合片を前記折り畳み部分の表側に係合させるとともに、前記折り戸の裏面側において左右の扉にスライダーの左右両端を互いに引っ張り合うように定着させ、さらに、前記添装部材の後端部に備えられている係止ピンと前記折り畳み部分の裏面との間に前記スライダーの途中を挿通させてある。
【００２４】
したがって、この折り戸を閉じたときでも、また、折り戸を開けた（折り畳んだ）ときでも、さらに、その途中の状態のときでも、折り戸の折り畳み部分の表側においては、折り戸の連結部が添装部材の前端部に備えられている係合片で覆い隠され、その部分に隙間が生じないので、目的とする指詰防止という面で充分な効果が得られる。前記係合片を上下に長いものとしておけば、当該係合片により折り戸の連結部を上から下までほぼ覆い隠すことができるので、指詰防止の効果が増大する。
【００２５】
特に、折り戸の折り畳み部分の裏側において、左右の扉に左右両端を互いに引っ張り合うように定着されているスライダーにより、２枚の扉が閉じる方向に付勢されることになるので、折り戸を閉じたときでも、折り戸を開けた（折り畳んだ）ときでも、さらに、その途中の状態のときでも、折り戸の折り畳み部分の表側に隙間ができない。従って、目的とする指詰防止の効果が十分得られる。
【００２６】
また、折り戸が閉じられた状態では、左右の扉が絶えず閉まる方向に力が掛かっているので、左右の扉がぶらぶらすることもない。さらに、折り戸が閉じられた状態では、左右の扉に左右両端を互いに引っ張り合うように定着されているスライダーにより、２枚の扉が閉じる方向に付勢されることになるので、折り戸を開いた（折り畳んだ）状態から軽く閉じることができる。
【００２７】
スライダーの左右両側にばねをそれぞれ取り付け、左右のばねの外端を左側の扉と右側の扉に定着させておくのが望ましい。このようにした場合には、折り戸が閉じられた状態では、前記左右のばねにより、２枚の扉が閉じる方向にさらに付勢されることになるので、折り戸を開いた（折り畳んだ）状態からさらに軽く閉じることができる。
【００２８】
係合片に指詰防止バーを嵌合させ、この指詰防止バーの縦溝の上下両端部にキャップの脚片を嵌入することが好ましい。このようにした場合には、折り戸を閉じたときでも、また、折り戸を開けた（折り畳んだ）ときでも、さらに、その途中の状態のときでも、折り戸の折り畳み部分の表側においては、折り戸の連結部が指詰防止バーで覆い隠され、その部分に隙間が生じないので、少なくともその部分においては目的とする指詰防止の効果が得られる。前記指詰防止バーを上下に長いものとしておけば、当該指詰防止バーにより折り戸の連結部を上から下までほぼ覆い隠すことができるので、指詰防止の効果が増大する。また、縦溝が形成されている指詰防止バーの上下両端をキャップで覆い隠すことができるので、体裁が良い。
【００２９】
指詰防止バーの長さを折り戸の高さに合わせ、この指詰防止バーの縦溝の上下両端部にキャップの脚片を嵌入し、指詰防止バーの上下両端を前記キャップで覆っておくのが望ましい。このようにした場合には、前記キャップは折り戸の折り畳み部分の上下両端面に沿い、縦溝が形成されている指詰防止バーの上下両端をこのキャップで覆い隠すことができるので、体裁が良いのみならず、上下方向に長い指詰防止バーが折り戸の折り畳み部分から妄りに外れるのを防止できる。また、指詰防止バーの長さを折り戸の高さに合わせてあるので、当該指詰防止バーにより折り戸の連結部を上から下まで完全に覆い隠すことができ、指詰防止の効果がさらに増大する。
【発明の効果】
【００３０】
請求項１記載の指詰防止部材を用いた場合には、折り戸がどのような状態のときでも、折り戸の折り畳み部分の表側においては、折り戸の連結部を本発明による指詰防止部材の係合片で覆い隠すことができ、その部分に隙間が生じないものとすることができるので、少なくともその部分においては目的とする指詰防止の効果が得られる。前記係合片を上下に長いものとしておけば、当該係合片により折り戸の連結部を上から下までほぼ覆い隠すことができるので、指詰防止の効果が増大する。
【００３１】
特に、請求項１記載の指詰防止部材を用いた場合には、折り戸の折り畳み部分の裏側において、左右の扉に左右両端を互いに引っ張り合うように定着させ得るスライダーにより、２枚の扉を絶えず閉じる方向に付勢することができるので、折り戸がどのような状態のときでも、折り戸の折り畳み部分の表側に隙間が生じないものとすることができる。従って、目的とする指詰防止の効果が十分得られる。
【００３２】
また、請求項１記載の指詰防止部材を用いた場合には、折り戸が閉じられた状態では、左右の扉を絶えず閉める方向に付勢することができるので、左右の扉がぶらぶらすることを防止できる。さらに、折り戸が閉じられた状態では、左右の扉に左右両端を互いに引っ張り合うように定着させ得るスライダーにより、２枚の扉を閉じる方向に付勢することができるので、折り戸を開いた（折り畳んだ）状態から軽く閉じることができる。
【００３３】
請求項２記載の指詰防止部材を用いた場合には、折り戸が閉じられた状態では、スライダーの左右両端にそれぞれ取り付け得る左右のばねにより、２枚の扉を閉じる方向にさらに付勢させることができるので、折り戸を開いた（折り畳んだ）状態からさらに軽く閉じることができる。
【００３４】
請求項３記載の指詰防止部材を用いた場合には、折り戸がどのような状態のときでも、折り戸の折り畳み部分の表側においては、折り戸の連結部を指詰防止バーで覆い隠すことができるので、その部分に隙間が生じないものとすることができ、少なくともその部分においては目的とする指詰防止の効果が得られる。前記指詰防止バーを上下に長いものとしておけば、当該指詰防止バーにより折り戸の連結部を上から下までほぼ覆い隠すことができるので、指詰防止の効果が増大する。
【００３５】
請求項４記載の指詰防止部材を用いた場合には、指詰防止バーの縦溝の上下両端部にキャップの脚片を嵌入せしめることができるので、指詰防止バーの上下両端部をこのキャップで覆うことができ、体裁が良い。
【００３６】
請求項５記載の発明によれば、折り戸がどのような状態のときでも、折り戸の折り畳み部分の表側においては、折り戸の連結部が添装部材の前端部に備えられている係合片で覆い隠され、その部分に隙間が生じないので、目的とする指詰防止という面で充分な効果が得られる。前記係合片を上下に長いものとしておけば、当該係合片により折り戸の連結部を上から下までほぼ覆い隠すことができるので、指詰防止の効果が増大する。
【００３７】
特に、請求項５記載の発明によれば、折り戸の折り畳み部分の裏側において、左右の扉に左右両端を互いに引っ張り合うように定着されているスライダーにより、２枚の扉が絶えず閉じる方向に付勢されることになるので、折り戸を閉じたときでも、折り戸を開けた（折り畳んだ）ときでも、さらに、その途中の状態の場合でも、折り戸の折り畳み部分の表側に隙間ができない。従って、目的とする指詰防止の効果が十分得られる。
【００３８】
また、請求項５記載の発明によれば、折り戸が閉じられた状態では、左右の扉が絶えず閉まる方向に力が掛かっているので、左右の扉がぶらぶらすることもない。さらに、折り戸が閉じられた状態では、左右の扉に左右両端を互いに引っ張り合うように定着されているスライダーにより、２枚の扉が閉じる方向に付勢されることになるので、折り戸を開いた（折り畳んだ）状態から軽く閉じることができる。
【００３９】
請求項６記載の発明によれば、折り戸が閉じられた状態では、前記左右のばねにより、２枚の扉が閉じる方向にさらに付勢されることになるので、折り戸を開いた（折り畳んだ）状態からさらに軽く閉じることができる。
【００４０】
請求項７記載の発明によれば、折り戸がどのような状態の場合でも、折り戸の折り畳み部分の表側においては、折り戸の連結部が指詰防止バーで覆い隠され、その部分に隙間が生じないので、少なくともその部分においては目的とする指詰防止の効果が得られる。前記指詰防止バーを上下に長いものとしておけば、当該指詰防止バーにより折り戸の連結部を上から下までほぼ覆い隠すことができるので、指詰防止の効果が増大する。また、縦溝が形成されている指詰防止バーの上下両端をキャップで覆い隠すことができるので、体裁が良い。
【００４１】
請求項８記載の発明によれば、縦溝が形成されている指詰防止バーの上下両端をキャップで覆い隠すことができるので、体裁が良いのみならず、上下方向に長い指詰防止バーが折り戸の折り畳み部分から妄りに外れるのを防止できる。また、指詰防止バーの長さを折り戸の高さに合わせてあるので、当該指詰防止バーにより折り戸の連結部を上から下まで完全に覆い隠すことができ、指詰防止の効果がさらに増大する。
【図面の簡単な説明】
【００４２】
【図１】本発明による指詰防止部材を備えた折り戸の一例を示す斜視図で、左右にある２枚の扉をそれぞれ開いた（折り畳んだ）状態を示す。
【図２】本発明による指詰防止部材を備えた折り戸の２枚の扉を開閉するための機構の一例を示す斜視図である。
【図３】本発明による指詰防止部材を、折り戸の折り畳み部分に配置した状態を示す図で、(a)はその平面図、(b)は折り戸を裏側から見た正面図で、指詰防止バーの上下両端をキャップで覆ってない状態で示す。
【図４】本発明による指詰防止部材を、折り戸の折り畳み部分に配置した状態を示す斜視図で、指詰防止バーの上下両端をキャップで覆ってない状態で示す。
【図５】本発明による指詰防止部材を構成する各部材を折り戸とともに示す斜視図で、(a)はその一部を折り戸の折り畳み部分に取り付け、その他の部材を分解して示し、(b)はそのうちの一つである添装部材のみを示す。
【図６】本発明による指詰防止部材を折り戸の折り畳み部分に配置し、当該折り戸を開けた（折り畳んだ）状態を示す拡大平面図で、指詰防止バーの上下両端をキャップで覆ってない状態で示す。
【発明を実施するための形態】
【００４３】
本発明を実施するための形態について、図面を参照しながら詳細に説明する。
折り戸とは、通常、複数枚の扉１，１の折り畳み部分を少なくとも一対の蝶番２，２で連結し、複数枚の扉１，１を開閉自在としたものである。図１では、折り戸Ａの設置場所であるクローゼットその他の開放部Ｂに、左右２枚の扉１，１が左右に２組配置され、それらにより前記開放部Ｂを開閉する場合を例示する。折り畳み得る扉１の枚数は左右２枚に限定されるものではなく、必要枚数を前記蝶番２，２で折り畳み可能に互いに連結すれば良い。
【００４４】
折り戸Ａで前記開放部Ｂを開閉するに当って、前記開放部Ｂの上側には、図２に示すように、上側用のレールＣが配置されている。そして、折り戸Ａの２枚の扉１，１の裏面の上外隅付近に吊用ホルダ３を介して吊車４，４を取り付け、両吊車４，４の左右一対のローラ４ａ，４ａを前記レールＣの溝ｃ内で走行させることができるようにしてある。
【００４５】
また、前記開放部Ｂの下側には、同じく図２に示すように、下側用のレールＤが配置されている。そして、折り戸Ａの２枚の扉１，１の裏面の下外隅付近にガイドローラ５，５を取り付け、両ガイドローラ５，５を前記レールＤの溝ｄ内で走行させることができるようにしてある。
【００４６】
折り戸Ａの左右２枚の扉１，１の任意の位置に取り付けられている把手（図示しない）を握って上下一対のレールＣ，Ｄに沿って吊車４，４とガイドローラ５，５とを走行させることにより、２枚の扉１，１を開いたり（折り畳んだり）、閉じたりすることができ、それにより前記開放部Ｂを開閉することができる。
【００４７】
この２枚の扉１，１の折り畳み部分には、以下に示す各部材を有する指詰防止部材Ｅが配置されている。すなわち、前記折り畳み部分である折り戸Ａの内端面に沿って添装される添装部材６を有し、この添装部材６の前端部に前記折り畳み部分の表側に係合させ得る係合片７を備え、前記折り戸Ａの裏面側において左右の扉１、１に左右両端を互いに引っ張り合うように定着させ得るスライダー８を備え、前記添装部材６の後端部には、前記折り畳み部分の裏面との間に形成される隙間に前記スライダー８の途中を挿通して係合させ得る係止ピン９を備えている。
【００４８】
また、前記スライダー８の左右両側を左右２本のピン１３、１３を介して、左右の扉１、１にそれぞれ取り付けられている左右対称的な２つのレール受け１２、１２に直接定着するなどして、スライダー８の左右両端が互いに引っ張り合うようにしてもよいが、ここでは、スライダー８の左右両側にそれぞれ取り付け得るばね１０を有する場合が例示されている。そして、両ばね１０、１０の内端を前記スライダー８の内側において左右対称的な位置にある２本の係止ピン８ａ、８ａにそれぞれ引っ掛ける。また、前記両ばね１０、１０は前記スライダー８の裏側において左右対称的な位置にある横方向の溝８ｂ、８ｂ内に１本ずつ納める。さらに、図５(a)、(c)に示すように、前記スライダー８の裏側を除く三方向を覆い隠す左右対称的な２つのスライダーレール１１、１１を有しており、両スライダーレール１１、１１の外端（左端と右端）には上下一対の係止溝１１ａ、１１ａがそれぞれ形成され、また、両スライダーレール１１、１１の一部を切り起こして係止片１１ｂ、１１ｂが形成されている。そして、前記両ばね１０、１０の外端（左端と右端）を左右のスライダーレール１１、１１の係止片１１ｂ、１１ｂにそれぞれ引っ掛けるとともに、両スライダーレール１１、１１の外端（左端と右端）にある上下一対の係止溝１１ａ、１１ａを、左右の扉１、１にそれぞれ取り付けられている左右対称的な２つのレール受け１２、１２のピン１３、１３にそれぞれ係止する場合を例示する。
【００４９】
そして、前記添装部材６を前記折り畳み部分である２枚の扉１、１の内端面に沿って添装し、この添装部材６の前端部に備えられている係合片７を、図３(a)および図６に示すように、前記折り畳み部分の表側に係合せしめる。一方、前記折り戸Ａの裏面側において左右の扉１、１には、前記両ばね１０、１０により左右両端を互いに引っ張り合うようにスライダー８を定着し、前記折り畳み部分の裏面との間に形成される隙間６ａ（図５(a)、図６参照）に前記スライダー８の途中（中央部分）を挿通し、図３(a)、図４、図６に示すように、前記添装部材６の後端部に備えられている係止ピン９に係合させる。
なお、前記前記添装部材６の後端部には、図５(b)に示すように、この係止ピン９を保持するための保持部６ａ、６ａが上下に２つ形成されており、前記係止ピン９の上下が前記保持部６ａ、６ａに挿通・保持される。
【００５０】
かくして、この折り戸Ａを閉じたときでも、また、折り戸Ａを開けた（折り畳んだ）ときでも、さらに、その途中の状態のときでも、図６に示すように、折り戸Ａの折り畳み部分の表側においては、折り戸Ａの連結部が添装部材６の前端部に備えられている係合片７で覆い隠され、その部分に隙間が生じないので、目的とする指詰防止という面で充分な効果が得られる。前記係合片７を上下に長いものとしておけば、当該係合片７により折り戸Ａの連結部を上から下までほぼ覆い隠すことができるので、指詰防止の効果が増大する。
【００５１】
特に、折り戸Ａの折り畳み部分の裏側において、前記両ばね１０、１０により左右両端を互いに引っ張り合うように左右の扉１、１に定着されているスライダー８により、２枚の扉１、１が閉じる方向に付勢されることになるので、折り戸Ａを閉じたときでも、折り戸Ａを開けた（折り畳んだ）ときでも、さらに、その途中の状態のときでも、折り戸Ａの折り畳み部分の表側に隙間ができない。従って、目的とする指詰防止の効果が十分得られる。なお、スライダー８は合成樹脂製とすることができ、その途中８ｃを図５(a)に示すように比較的薄いものとしておくと、２枚の扉１、１を閉じる方向に付勢するのに役立つ。
【００５２】
また、折り戸Ａが閉じられた状態では、左右の扉１、１が絶えず閉まる方向に力が掛かっているので、左右の扉１、１がぶらぶらすることもない。さらに、折り戸Ａが閉じられた状態では、前記両ばね１０、１０により左右両端を互いに引っ張り合うように左右の扉１，１に定着されているスライダー８により、２枚の扉１、１が閉じる方向に付勢されることになるので、折り戸Ａを開いた（折り畳んだ）状態から軽く閉じることができる。
【００５３】
上述したように、スライダーの左右両側にばね１０、１０をそれぞれ取り付け、左右のばね１０、１０の外端を左側の扉１と右側の扉１に定着させた場合には、折り戸Ａが閉じられた状態では、前記左右のばね１０、１０により、２枚の扉１、１が閉じる方向にさらに付勢されることになるので、折り戸Ａを開いた（折り畳んだ）状態からさらに軽く閉じることができる。
【００５４】
ここでは、図６に示すように、前記係合片７に上下に長い指詰防止バー１４の左右両側を嵌合させ、この指詰防止バー１４の縦溝１４ａの上下両端部にキャップ１５の脚片１５ａを嵌入する場合が例示されている。このようにした場合には、折り戸Ａを閉じたときでも、また、折り戸Ａを開けた（折り畳んだ）ときでも、さらに、その途中の状態のときでも、折り戸Ａの折り畳み部分の表側においては、図６に示すように、折り戸Ａの連結部が指詰防止バー１４で覆い隠され、その部分に隙間が生じないので、少なくともその部分においては目的とする指詰防止の効果が得られる。前記指詰防止バー１４を上下に長いものとしておけば、当該指詰防止バー１４により折り戸Ａの連結部を上から下までほぼ覆い隠すことができるので、指詰防止の効果が増大する。また、縦溝が形成されている指詰防止バー１４の上下両端をキャップ１５で覆い隠すことができるので、体裁が良い。
【００５５】
さらに、ここでは、前記指詰防止バー１４の長さを折り戸Ａの高さに合わせ、この指詰防止バー１４の縦溝１４ａの上下両端部にキャップ１５の脚片１５ａを嵌入し、指詰防止バー１４の上下両端を前記キャップ１５で覆っておく場合が例示されている。このようにした場合には、前記キャップ１５は折り戸Ａの折り畳み部分の上下両端面に沿い、縦溝１４ａが形成されている指詰防止バー１４の上下両端をこのキャップ１５で覆い隠すことができるので、体裁が良いのみならず、上下方向に長い指詰防止バー１４が折り戸Ａの折り畳み部分から妄りに外れるのを防止できる。また、指詰防止バー１４の長さを折り戸Ａの高さに合わせてあるので、当該指詰防止バー１４により折り戸Ａの連結部を上から下まで完全に覆い隠すことができ、指詰防止の効果がさらに増大する。
【００５６】
なお、ここに例示する指詰防止部材Ｅは、様々な形態の折り戸に取り付けることができるのみならず、扉１の厚みが変わっても取り付け可能とすることができる。
【符号の説明】
【００５７】
１…扉、１ａ…内端面、１ｂ…表側、１ｃ…裏面、２…蝶番、６…添装部材、７…係合片、８…スライダー、９…係止ピン、１０…ばね、１１…スライダーレール、１２…レール受け、１３…ピン、１４…指詰防止バー、１４ａ…縦溝、１５…キャップ、１５ａ…脚片、Ａ…折り戸、Ｅ…指詰防止部材。
【図１】
2011001799.tif 000003
【図２】
2011001799.tif 000004
【図３】
2011001799.tif 000005
【図４】
2011001799.tif 000006
【図５】
2011001799.tif 000007
【図６】
2011001799.tif 000008